(57)【要約】【課題】本発明の目的は、身体を何ら締め付けることなく、両手が自由な状態で、傘自体を身体に安定的にしっかりと固定でき、シンプルな構造であって耐久性に優れ、しかも着脱が容易な傘を提供することにある。【解決手段】本発明の上記目的は、中棒を有する傘本体と、該中棒に連結されたＪ字状又はU字状の首掛け部材と、該首掛け部材を該中棒に回転可能に連結固定する連結部材と、該中棒に取り付けられた胴ベルトと、を備えた傘によって、達成される。【選択図】図１
2011251069.tif 000002
【特許請求の範囲】
【請求項１】
中棒を有する傘本体と、該中棒に連結されたＪ字状又はU字状の首掛け部材と、該首掛け部材を該中棒に回転可能に連結固定する連結部材と、該中棒に取り付けられた胴ベルトと、を備えた傘。
【請求項２】
前記連結部材が、前記中棒が挿入された中棒固定部と、前記首掛け部材の端部が挿入されると共に該中棒固定部に圧接される首掛け部材固定部と、前記の中棒固定部、中棒、首掛け部材固定部及び首掛け部材端部を貫通するボルトと、該ボルトに螺合させることにより該中棒固定部に該首掛け部材固定部を圧接させるためのノブナットと、を有する、請求項１に記載の傘。
【請求項３】
前記連結部材が、前記中棒の下ハジキよりも下部に固定されている請求項１又は２に記載の傘。
【請求項４】
前記首掛け部材及び前記中棒の少なくとも一方が、パイプ材で形成されている請求項１〜３のいずれかに記載の傘。
【請求項５】
前記胴ベルトが、前記中棒の下端部に形成されたスリット状の貫通穴に、挿通されて取り付けられている請求項１〜４のいずれかに記載の傘。
【請求項６】
前記首掛け部材が、長さ調節可能な伸縮機構を有している請求項１〜５のいずれかに記載の傘。
【請求項７】
前記中棒が、長さ調節可能な伸縮機構を有している請求項１〜６のいずれかに記載の傘。
【請求項８】
前記首掛け部材が、首を保護するための緩衝部材で被覆されている請求項１〜７のいずれかに記載の傘。
【発明の詳細な説明】
【技術分野】
【０００１】
本発明は、傘に関し、特に、傘それ自体を手に持つことなく身体に固定でき、両手が自由な状態で、歩行や作業ができる傘に関する。
【背景技術】
【０００２】
従来、傘それ自体を手に持つことなく身体に固定できる傘としては、例えば、中棒を有する傘本体と、この傘本体の中棒の下端部に高さ調節機構を介して着脱可能に取り付けられた、人の下腹部位に固定状態となるように取り付けることができる板状の支持具とで構成された傘が公知である（特許文献１参照）。しかし、この傘には、支持具により、腰部で中棒の末端のみを固定するために、傘の固定が不十分で、傘を身体にしっかりと固定することができないという欠点がある。
【０００３】
また、傘生地が張られた第１の親骨とは別に、第２の親骨又は支持骨と、第２の親骨又は支持骨同士を接続する帯状部材とを設けて、傘使用者の肩部に装着可能とした傘が公知である（特許文献２参照）しかし、この傘には、肩部に大きな負担がかかり、又傘が前後に動き易いという欠点がある。
【０００４】
更に、２本の中棒を設け、各中棒に設けた肩掛け鉤部と、各中棒末端部に取り付けた腰部固定ベルトとで、身体に傘を固定する傘（特許文献３参照）や、束ねた状態の２本の中棒に設けられた、身体の片側の肩から他方側の脇を囲むベルトと、束ねた中棒末端に設けられた、ズボンのベルトに固定するクリップとによって、或いは、２本の中棒を二股状にし、各中棒に固定した、身体の背中側に設けたY字状の吊りバンドと、腹側の各中棒末端に設けられた、ズボンのベルトに固定するクリップとによって、傘を身体に固定する傘が公知である（特許文献４参照）。しかし、これらの傘には、いずれにも、傘の中棒を２本設けねばならず、構造が複雑であり、又着脱が煩雑であるという問題がある。また、特許文献４の傘には、肩部から上半身全体を締め付けるため、窮屈であるという欠点もある。
【先行技術文献】
【特許文献】
【０００５】
【特許文献１】特開２００５−２２４３６２号公報
【特許文献２】特開２００７−５４１０５号公報
【特許文献３】特開２００３−３１０３２０号公報
【特許文献４】特開２０００−１３９５３３号公報
【発明の概要】
【発明が解決しようとする課題】
【０００６】
本発明の目的は、身体を何ら締め付けることなく、両手が自由な状態で、傘自体を身体に安定的にしっかりと固定でき、シンプルな構造であって耐久性に優れ、しかも着脱が容易な傘を提供することにある。
【課題を解決するための手段】
【０００７】
本発明者は、上記目的を達成するため、鋭意研究した結果、中棒を有する傘本体と、該中棒に連結されたＪ字状等の首掛け部材と、該首掛け部材を該中棒に回転可能に連結固定する連結部材と、該中棒に取り付けられた胴ベルトと、を備えた傘によれば、上記目的を達成できることを見出し、本発明を完成するに至った。
【０００８】
本発明は、以下に示す傘を提供するものである。
【０００９】
１．中棒を有する傘本体と、該中棒に連結されたＪ字状又はU字状の首掛け部材と、該首掛け部材を該中棒に回転可能に連結固定する連結部材と、該中棒に取り付けられた胴ベルトと、を備えた傘。
【００１０】
２．前記連結部材が、前記中棒が挿入された中棒固定部と、前記首掛け部材の端部が挿入されると共に該中棒固定部に圧接される首掛け部材固定部と、前記の中棒固定部、中棒、首掛け部材固定部及び首掛け部材端部を貫通するボルトと、該ボルトに螺合させることにより該中棒固定部に該首掛け部材固定部を圧接させるためのノブナットと、を有する、上記項１に記載の傘。
【００１１】
３．前記連結部材が、前記中棒の下ハジキよりも下部に固定されている上記項１又は２に記載の傘。
【００１２】
４．前記首掛け部材及び前記中棒の少なくとも一方が、パイプ材で形成されている上記項１〜３のいずれかに記載の傘。
【００１３】
５．前記胴ベルトが、前記中棒の下端部に形成されたスリット状の貫通穴に、挿通されて取り付けられている上記項１〜４のいずれかに記載の傘。
【００１４】
６．前記首掛け部材が、長さ調節可能な伸縮機構を有している上記項１〜５のいずれかに記載の傘。
【００１５】
７．前記中棒が、長さ調節可能な伸縮機構を有している上記項１〜６のいずれかに記載の傘。
【００１６】
８．前記首掛け部材が、首を保護するための緩衝部材で被覆されている上記項１〜７のいずれかに記載の傘。
【発明の効果】
【００１７】
本発明によれば、身体を何ら締め付けることなく、両手が自由な状態で、保持具等を何ら用いることなく、傘それ自体を身体に安定的にしっかりと固定でき、シンプルな構造であって軽量で耐久性に優れ、しかも着脱が容易な傘が提供されるという効果が得られる。
【００１８】
また、本発明の傘を用いることによって、雨天時において、傘を手に持つことなく安定してしっかりと身体に傘を固定でき、両手が自由な状態で、歩行や作業ができるので、屋外で、子供を抱く親の歩行、両手に荷物を持っている人の歩行、写真撮影、測量作業、筆記作業、散歩、軽登山、警備、案内等を行う場合等に、好適に利用することができる。また、体の不自由な人や、自転車に乗るとき等にも、本発明の傘を便利に使用できる。
【００１９】
更に、晴天時において、日差しを避けるため日傘として用いるときにも、本発明の傘を、便利に利用することができる。
【００２０】
加えて、本発明の傘は、傘を身体に固定する必要が無い場合には、首掛け部材を中棒と平行な位置に、下向きに固定することによって、首掛け部材を傘の手元として用いることができ、通常の傘と同様に用いることもできる。
【図面の簡単な説明】
【００２１】
【図１】本発明に係る傘の一例を示す斜視図である。
【図２】図１の傘の首掛け部材が長さ調節可能な伸縮機構を有しており、又中棒が長さ調節可能な伸縮機構を有している場合のそれぞれの長さ調節の状態を示す斜視図である。
【図３】図１の傘の連結部材周辺を拡大して示す斜視図である。
【図４】図３の傘の連結部材周辺を反対側から見た斜視図である。
【図５】図４の傘の連結部材周辺を、一部を切り欠き、一部を透視して示す側面図である。
【図６】図１の傘の胴ベルトの取り付け部分及びベルトのバックル部分を拡大して示す斜視図である。
【図７】図１の傘を装着して傘を身体に固定している使用状態を示す状態図である。
【図８】図１の傘の首掛け部材を中棒と平行な位置に、下向きに固定して、首掛け部材を傘の手元として用いる場合の状態を示す斜視図である。
【図９】図８の傘の首掛け部材を傘の手元として用いる場合において、傘を閉じた状態を示す斜視図である。
【発明を実施するための形態】
【００２２】
本発明に係る傘の実施形態について、以下に、図１〜９を参照して説明する。
【００２３】
図１は、本発明に係る傘の一例を示す斜視図である。図１の傘は、中棒１を有する傘本体１１と、傘の中棒１に連結されたＪ字状の首掛け部材２と、首掛け部材２と中棒１とを回転可能に連結すると共に首掛け部材２を中棒１に対して所望の回転角度位置で固定する連結部材３と、中棒１に取り付けられた胴ベルト４と、を備える。また、衣服や身体を傷つけるのを防止するために、首掛け部材２の末端部には保護キャップ８が、中棒1の末端部には保護キャップ９が、それぞれ設けられている。胴ベルト４は、中棒１の下端部に形成されたスリット状の貫通穴５に、挿通されて取り付けられている。また、胴ベルト４には、雄側雌側一対のバックル６及び７が設けられている。
【００２４】
図１の傘において、傘本体１１としては、傘の手元が無いことを除いて、それ自体公知の通常の布傘、ビニール傘等をいずれも採用できる。傘本体１１は、例えば、石突１２と、傘布１３と、この傘布１３を取り付けた複数本の親骨（図示せず）と、親骨が開閉可能に枢支された上ロクロ（図示せず）と、この上ロクロが取り付けられた中棒１と、この中棒１に上下方向にスライド移動可能に取り付けられた下ロクロ（図示せず）と、この下ロクロ及び親骨にそれぞれ枢支された受骨（図示せず）と、中棒１の上下部に取り付けられた上ハジキ（図示せず）及び下ハジキ１４と、を備えている。この傘本体１１には、手元を取り付けることも可能である。尚、傘の手元は、ハンドル、把手、持ち手、柄等と称することもある。また、傘本体の石突、骨、中棒、ロクロ、傘布、ハジキ等の形状及び材質には、特に制限が無い。
【００２５】
図１の傘において、中棒１は、連結部材３を貫通しており、通常、円柱状若しくは棒状又は円筒状若しくはパイプ状であるのが好ましい。また、中棒１の連結部材３より下の部分の長さは、通常、２０〜４５ｃｍ程度の長さであるのが好ましく、用いる人の身長や体格に合わせて、適宜決定することができる。Ｊ字状の首掛け部材２及び中棒１は、通常、首掛け部材２の下端部と中棒１の下ハジキ１４の下部とにおいて、首掛け部材２が中棒１に対して回転可能なように、連結部材３によって連結されている。首掛け部材２は、通常、３５〜６０ｃｍ程度の長さの円柱状若しくは棒状又は円筒状若しくはパイプ状であるのが好ましいが、長さは、用いる人の身長や体格に合わせて、適宜決定することができる。中棒１及び首掛け部材２の太さは、通常、７〜１５ｍｍ程度であるのが、好ましい。図１に示される首掛け部材２は、Ｊ字状の形状であるが、末端部分を長くして、Ｕ字状としてもよい。また、中棒１及び首掛け部材２のいずれか一方又は両者をパイプ材で形成して円筒状若しくはパイプ状にすることが、強度向上、加工性向上、軽量化の観点から、好ましい。また、首掛け部材２び中棒１の材質としては、特に限定されないが、例えば、アルミニウム；ステンレススチール等の各種スチール；プラスチック等の材質を採用することができる。また、首掛け部材２は、首を保護するための緩衝部材（図示せず）で被覆することができる。かかる緩衝部材は、例えば、布、織物、不織布、編物、フェルト、ソフトラバー等の各種の素材を用いて被覆することによって、形成することができる。更に、中棒１及び首掛け部材２の末端部に設けられる保護キャップの材質としては、例えば、ラバー、ゴム、プラスチック等を挙げることができる。
【００２６】
図１において、両矢印の曲線で示した様に、連結部材３によって、首掛け部材２の中棒1に対する回転角度位置を、あらゆる角度即ち０°〜３６０°の範囲の任意の角度に調節して、固定することができる。図1の実線で示した首掛け部材２は、通常の使用時の角度位置であり、破線で示した首掛け部材２は、傘を身体に固定しない場合や、収納する場合の角度位置を示している。
【００２７】
図２は、図１の傘の首掛け部材２が長さ調節可能な伸縮機構を有しており、又中棒１が長さ調節可能な伸縮機構を有している場合のそれぞれの長さ調節の状態を示す斜視図である。即ち、中棒１には、図２に示される様に、長さ調節可能な伸縮機構を設けることができる。例えば、カメラ等の三脚に用いられるレバー式、ロックナット式等の伸縮機構、物干し竿に用いられる引出式の伸縮機構等のスライド及び固定できる伸縮機構を設けることにより、中棒１の長さを容易に調節することができる。中棒１の伸縮機構は、通常、連結部材３の下部に設けることが好ましい。また、図２に示される様に、首掛け部材２の連結部材３側の中間部に、長さ調節可能な伸縮機構を設けることができる。例えば、カメラ等の三脚に用いられるレバー式、ロックナット式等の伸縮機構、物干し竿に用いられる引出式の伸縮機構等のスライド及び固定できる伸縮機構を設けることにより、首掛け部材２の長さを容易に調節することができる。
【００２８】
図３は、図１の傘の連結部材３の周辺を拡大して示す斜視図である。図４は、図３の傘の連結部材３の周辺を反対側から見た斜視図である。また、図５は、図４の傘の連結部材周辺を、一部を切り欠き、一部を透視して示す側面図である。連結部材３は、中棒１と首掛け部材２とを回転可能に連結しており、中棒１及び首掛け部材２を任意の角度位置に調節して固定する機能を有している。
【００２９】
即ち、図３、図４及び図５に示されている様に、連結部材３は、中棒１が挿入され貫通している中棒固定部２１と、首掛け部材２の端部が挿入されると共に中棒固定部２１に圧接されている首掛け部材固定部２２と、中棒固定部２１、中棒１、首掛け部材固定部２２及び首掛け部材２の端部を貫通するボルト２４と、ボルト２４に螺合させることにより中棒固定部２１に首掛け部材固定部２２を圧接させるためのノブナット２３と、を有している。中棒１及び首掛け部材２の端部には、それぞれボルト穴が形成されている。連結部材３は、このように構成されていることにより、ボルト２４とノブナット２３とによって、中棒固定部２１、中棒１、首掛け部材固定部２２及び首掛け部材２を締結して、首掛け部材２を中棒１に対して所望の回転角度で調節及び固定できるようにしている。ノブナット２３には、緩み止め等のために、座金（図示せず）をかませておくのが好ましい。また、連結部材３を構成する中棒固定部２１及び首掛け部材固定部２２は、いずれも同径の円柱状の形状をしているのが好ましい。ボルト２４が、同径で円柱形状の中棒固定部２１及び首掛け部材固定部２２の中心軸を貫通していることによって、中棒固定部２１及び首掛け部材固定部２２の接合面を回転させても、摩擦系合面積が変化しないので、一定の摩擦系合力が発揮されるという利点が得られる。
【００３０】
ボルト２４と組み合わせたノブナット２３を、図３の両矢印の曲線で示した様に、回すことによって、首掛け部材２を中棒１に対して所望の回転角度位置で調節及び固定することができる。ノブナット２３には、ボルト２４と螺合する様に、ネジ穴が設けられている。ノブナット２３を締めることによって、中棒１及び首掛け部材２を貫通しているボルト２４が、中棒１及び首掛け部材２を相対回動不能に堅固に固定することが分かる。また、逆に、ノブナット２３を弛めることによって、中棒固定部２１と首掛け部材固定部２２とが、これらの接合面で摺動して、首掛け部材２と中棒１との角度を、容易に所望の角度に調整できることが分かる。この角度調節の際、ノブナット２３を更に弛めることによって、中棒固定部２１と首掛け部材固定部２２との接合面を離して、回転を更に容易にすることもできる。このようにして、中棒固定部２１、首掛け部材固定部２２、ボルト２４及びノブナット２３によって、首掛け部材２と中棒１との角度の調節及び固定機能が果たされている。
【００３１】
ここで、中棒固定部２１と首掛け部材固定部２２との接合面の一方に放射状に延びる断面山形の複数の凸条を設け、他方に該凸条と嵌合する断面谷形の溝を放射状に設け、且つノブナット２３と首掛け部材固定部２２との間にバネを挟設し、そのバネ力によって中棒固定部２１に首掛け部材固定部２２を圧接させることによって、ワンタッチで首掛け部材２と中棒１との角度固定ができる様にすることもできる。また、接合面の一方に、放射状の凸条に代えて、冠歯車状の凹凸を設け、他方にこれと噛み合う凹凸を設けてもよい。
【００３２】
連結部材３を構成する中棒固定部２１及び首掛け部材固定部２２の材質としては、特に制限は無く、プラスチック、木材、金属等の材質とすることができる。また、ボルト及びノブナットの形状及び材質は、特に制限されず、通常のものをいずれも使用できる。
【００３３】
図６は、図１の傘の胴ベルトの取り付け部分及びベルトのバックル部分を拡大して示す斜視図である。図６に示される通り、胴ベルト４は、中棒１の下端部に形成されたスリット状の貫通穴５に、挿通されて取り付けられている。また、胴ベルト４には、雄側雌側一対のバックル６及び７が設けられている。胴ベルトの材質としては、例えば、布、織物、不織布、編物、革、合成皮革等を挙げることができる。また、雄側バックル６には、ベルト長さの調節機構が設けられているので、体格に合わせて、ベルト長さを容易に調節することができる。雌型バックル７に雄型バックル６を、矢印方向に嵌め込むことによって、容易に胴ベルト４を締めることができる。雄型バックル及び雌型バックルは、いずれも、プラスチック製の成型品を用いることができる。尚、胴ベルト４に取り付けるバックルとしては、一対の雄型バックルと雌型バックルに限られるものではなく、通常のベルト穴で固定するタイプのもの等の公知のバックルをいずれも使用することができる。
【００３４】
図７は、図１の傘を装着して傘を身体に固定している使用状態を示す状態図である。図１の傘の装着は、首掛け部材２と中棒1との角度を、体格に合わせて適宜決定し、連結部材３で固定後、首掛け部材２を首に掛け、胴ベルト４を身体３１の腹回り乃至腰回りに巻きつけ、雄型雌型一対のバックル６と７を嵌め込むことによって、容易に装着でき、これによって、傘を安定してしっかりと身体に固定することができる。尚、図７では、身体３１の左側に、傘を装着しているが、連結部材３のボルト２４と組み合わせたノブナット２３を回して、首掛け部材２を中棒１に対して逆の回転角度位置に調節し固定することによって、身体３１の右側に傘を装着することもできる。また、傘の取り外しは、上記と逆の手順によって、容易に行うことができる。この様に、本発明の傘の着脱は、首掛け部材を首に掛けて胴ベルトを締めるだけ、又はその逆を行うだけでよく、極めて簡単である。
【００３５】
図８は、図１の傘の首掛け部材を中棒と平行な位置に、下向きに固定して、首掛け部材を傘の手元として用いる場合の状態を示す斜視図である。また、図９は、図８の傘の首掛け部材を傘の手元として用いる場合において、傘を閉じた状態を示す斜視図である。本発明の傘は、傘を身体に固定する必要が無い場合には、図８に示す様に、首掛け部材２を中棒１と平行な位置に、下向きに固定することによって、首掛け部材２を傘の手元として用いることができ、通常の傘と同様に用いることができる。また、この状態で、傘を閉じれば、図９に示す様に、通常の傘と同様に、首掛け部材２を手元として、持って携行することができる。このような場合には、図８及び９に示す様に、胴ベルト４は、折り畳んでおくことが好ましい。また、このような場合には、中棒及び首掛け部材の長さを、長さ調節可能な伸縮機構によって、適宜調節することができる。
【産業上の利用可能性】
【００３６】
本発明は、傘又はその部品を製造する産業において、利用される。
【符号の説明】
【００３７】
１  中棒
２  首掛け部材
３  連結部材
４  胴ベルト
５  スリット状の貫通穴
６  雄側バックル
７  雌側バックル
８，９  保護キャップ
１１  傘本体
１２  石突
１３  傘布
１４  下ハジキ
２１  中棒固定部
２２  首掛け部材固定部
２３  ノブナット
２４  ボルト
３１  身体
【図１】
2011251069.tif 000003
【図２】
2011251069.tif 000004
【図３】
2011251069.tif 000005
【図４】
2011251069.tif 000006
【図５】
2011251069.tif 000007
【図６】
2011251069.tif 000008
【図７】
2011251069.tif 000009
【図８】
2011251069.tif 000010
【図９】
2011251069.tif 000011